(57)【要約】      （修正有）【課題】抗菌・抗ウイルス作用がより向上したマスクを提供する。【解決手段】複数のシート体が積層されて形成されたマスク本体を備えるマスクであって、複数のシート体は、表カバー層１１１側に設けられて不織布で形成された抗菌・抗ウイルスフィルタ１１２と、抗菌・抗ウイルスフィルタと隣接して口元カバー層１１４側に積層された捕集フィルタ１１３と、を含み、抗菌・抗ウイルスフィルタは、複数のシート体における他のシート体よりも厚く、且つ、捕集フィルタよりもメッシュ構造が粗い。【選択図】図２
0003226529.tif 000002
【実用新案登録請求の範囲】
【請求項１】
複数のシート体が積層されて形成されたマスク本体を備えるマスクであって、
前記複数のシート体は、不織布で形成された抗菌・抗ウイルスフィルタと、前記抗菌・抗ウイルスフィルタと隣接して積層された捕集フィルタと、を含み、
前記抗菌・抗ウイルスフィルタは、前記複数のシート体における他のシート体よりも厚く、且つ、前記捕集フィルタよりもメッシュ構造が粗い
ことを特徴とするマスク。
【請求項２】
請求項１に記載のマスクにおいて、
前記捕集フィルタは、前記抗菌・抗ウイルスフィルタよりも、前記マスクの着用の際における着用者の顔面側に位置する
ことを特徴とするマスク。
【請求項３】
請求項１に記載のマスクにおいて、
前記抗菌・抗ウイルスフィルタは、前記捕集フィルタよりも、前記マスクの着用の際における着用者の顔面側に位置する
ことを特徴とするマスク。
【請求項４】
請求項１に記載のマスクにおいて、
前記複数のシート体は、少なくとも２つの前記抗菌・抗ウイルスフィルタを含み、
前記捕集フィルタは、前記２つの前記抗菌・抗ウイルスフィルタで挟まれている
ことを特徴とするマスク。
【請求項５】
請求項１ないし４のいずれか１項に記載のマスクにおいて、
前記捕集フィルタは、帯電されており、
前記抗菌・抗ウイルスフィルタと前記捕集フィルタとは、前記抗菌・抗ウイルスフィルタと前記捕集フィルタとの間には空気を含ませるように積層されている
ことを特徴とするマスク。
【考案の詳細な説明】
【技術分野】
【０００１】
本考案は、抗菌・抗ウイルスフィルタを含むマスクに関し、特に、抗菌・抗ウイルス作用が向上したマスクに関する。
【背景技術】
【０００２】
従来、抗菌・抗ウイルスフィルタを含むマスクがある。特許文献１には、茶の抽出成分を不織布に添着したマスクであって、この茶の抽出成分によりウイルスを不活性化するよう構成されているマスクが開示されている。
【先行技術文献】
【特許文献】
【０００３】
【特許文献１】特開平０８−３３３２７１号公報
【考案の概要】
【考案が解決しようとする課題】
【０００４】
特許文献１等の従来技術では、菌やウイルスが単一の抗菌・抗ウイルスフィルタにより捕集と共に菌やウイルスの不活性化が実行される。しかし、菌やウイルスを単一のフィルタに接触させることができるとは限らず、抗菌・抗ウイルス作用が十分に発揮されないという課題があった。
本考案は、この課題を解消するためになされたもので、抗菌・抗ウイルス作用がより向上したマスクを提供することを目的とする。
【課題を解決するための手段】
【０００５】
本考案に係るマスクは、複数のシート体が積層されて形成されたマスク本体を備えるマスクであって、前記複数のシート体が、不織布で形成された抗菌・抗ウイルスフィルタと、前記抗菌・抗ウイルスフィルタと隣接して積層された捕集フィルタと、を含み、前記抗菌・抗ウイルスフィルタが、前記複数のシート体の他のシート体よりも厚く、且つ、前記捕集フィルタよりもメッシュ構造が粗いものである。
このように本考案に係るマスクは、複数のシート体の他のシート体よりも厚く形成された抗菌・抗ウイルスフィルタを介して、マスク内のより広い領域を菌やウイルスの不活性化のための領域として形成する。また、抗菌・抗ウイルスフィルタは、捕集フィルタに隣接している。そのため、抗菌・抗ウイルスフィルタは、マスクの着用者の呼吸に応じて、抗菌・抗ウイルスフィルタを通過してしまったが捕集フィルタに捕集された菌やウイルスと、再度、接触しやすくなる。このように、この抗菌・抗ウイルスフィルタと捕集フィルタとは、個別独立して抗菌・抗ウイルス機能と捕集機能とを実現するとともに、相互に連携した相互機能による抗菌・抗ウイルス機能を実現する。
これにより、このマスクは、抗菌・抗ウイルスフィルタを介してより菌やウイルスを不活性化でき、抗菌・抗ウイルス作用をより向上できる。
【０００６】
また、本考案に係るマスクは、必要に応じて、前記捕集フィルタが、前記抗菌・抗ウイルスフィルタよりも、前記マスクの着用の際における着用者の顔面側に位置するものである。
外部の空気は、マスクの着用者の吸気にしたがい、複数のシート体を通って、マスクの内側（マスクと着用者の顔面との間の空間）に入ってくる。外部からの空気は、捕集フィルタの前に、抗菌・抗ウイルスフィルタを通過する。その際に、抗菌・抗ウイルスフィルタは、接触した外部の空気内の菌やウイルスを不活性化する。その後、外部からの空気は、捕集フィルタを通過するが、その際に捕集フィルタにより通過を阻まれた菌やウイルスの少なくとも一部は、抗菌・抗ウイルスフィルタに接触し、不活性化される。
これにより、このマスクは、抗菌・抗ウイルスフィルタを介して外部からマスク内部に侵入しようとする菌やウイルスをより不活性化でき、外部からマスク内部に侵入しようとする菌やウイルスに対する抗菌・抗ウイルス作用をより向上できる。
【０００７】
また、本考案に係るマスクは、必要に応じて、前記抗菌・抗ウイルスフィルタが、前記捕集フィルタよりも、前記マスクの着用の際における着用者の顔面側に位置するものである。
本考案に係るマスクの着用者の呼気は、マスクの内側から、複数のシート体を通ってマスクの外部に排出される。着用者の呼気は、捕集フィルタの前に、抗菌・抗ウイルスフィルタを通過する。その際に、抗菌・抗ウイルスフィルタは、接触した着用者の呼気内の菌やウイルスを不活性化する。その後、着用者の呼気は、捕集フィルタを通過するが、その際に捕集フィルタにより通過を阻まれた菌やウイルスの少なくとも一部は、抗菌・抗ウイルスフィルタに接触し、不活性化される。
このように本考案に係るマスクは、抗菌・抗ウイルスフィルタを介して、着用者から外部に拡散しようとする菌やウイルスをより不活性化でき、外部に拡散しようとする菌やウイルスに対する抗菌・抗ウイルス作用をより向上できる。
【０００８】
また、本考案に係るマスクは、必要に応じて、前記複数のシート体が、少なくとも２つの前記抗菌・抗ウイルスフィルタを含み、前記捕集フィルタが、前記２つの前記抗菌・抗ウイルスフィルタで挟まれているものである。
このように本考案に係るマスクは、抗菌・抗ウイルスフィルタを介して、マスク内部に侵入しようとする菌やウイルス、及び、外部に拡散しようとする菌やウイルスをより不活性化できる。また、捕集フィルタを通過した菌やウイルスは、捕集フィルタの通過後に、再度、抗菌・抗ウイルスフィルタを通過することとなる。そのため、このマスクは、抗菌・抗ウイルス作用をより向上できる。
【０００９】
また、本考案に係るマスクは、必要に応じて、前記捕集フィルタが、帯電されており、前記抗菌・抗ウイルスフィルタと前記捕集フィルタとが、前記抗菌・抗ウイルスフィルタと前記捕集フィルタとの間には空気を含ませるように積層されているものである。
抗菌・抗ウイルスフィルタを通過した空気に含まれる菌やウイルスは、一旦、空気の層に入り、抗菌・抗ウイルスフィルタ１１２により動きを制限されず、帯電された捕集フィルタ１１３の表面近傍の部分に引き寄せられ、より多くがその部分で捕集される。捕集フィルタ１１３の表面近傍により多くの菌やウイルスが捕集されるため、その後に、より多くの菌やウイルスが、抗菌・抗ウイルスフィルタ１１２側に吹き飛ばされ、抗菌・抗ウイルスフィルタ１１２により接触し、不活性化されることとなる。このようにして、マスク１は、抗菌・抗ウイルス作用をより向上できる。
【図面の簡単な説明】
【００１０】
【図１】本考案に係る実施形態１のマスクの背面図である。
【図２】本考案に係る図１に示す実施形態１のマスクにおけるＡ−Ａ線の端面図である。
【図３】図１に示す本考案に係る実施形態１のマスクにおけるＢ−Ｂ線の端面図である。
【図４】図１に示す本考案に係る実施形態１のマスクにおける着用者の吸気・呼気を説明する図である。
【図５】本考案に係る実施形態２のマスクの横断面の端面図である。
【図６】本考案に係る実施形態２のマスクの着用者の吸気・呼気を説明する図である。
【図７】本考案に係る実施形態３のマスクの着用者の吸気・呼気を説明する図である。
【考案を実施するための形態】
【００１１】
以下、本考案を実施するための形態の一例について図面を用いて説明する。
（本考案の第１の実施形態）
図１〜４を用いて、本実施形態のマスク１を説明する。図１に、折りたたまれた状態におけるマスク１の背面図を示す。マスク１において着用の際に着用者の顔面に接触する方向を背面側とし、この反対方向を前面側とする。また、マスク１において着用の際における上方向、下方向をそれぞれ、上方、下方とする。図２にマスク１の断面Ａの概要図を示す。図３にマスク１の断面Ｂの概要図を示す。
【００１２】
図１〜３において、マスク１は、それぞれ不織布で形成された複数のシート体である表カバー層１１１、抗菌・抗ウイルスフィルタ１１２、捕集フィルタ１１３、口元カバー層１１４が積層されて形成されたマスク本体１１を備えるマスクであって、抗菌・抗ウイルスフィルタ１１２と捕集フィルタ１１３とは、隣接して積層され、抗菌・抗ウイルスフィルタ１１２は、この複数のシート体の他のシート体よりも厚く、且つ、捕集フィルタ１１３よりもメッシュ構造が粗い。また、マスク１は、着用者の顔面にかかる紐部１２を備える。
【００１３】
本実施形態のマスク１は、プリーツ型のマスクであり、マスク本体１１は、着用者の顔面の所定の範囲（例えば、鼻と口とを含む範囲等）を覆う部材である。
マスク本体１１は、図２、３に示すように、ポーラス状に繊維が絡まり合った不織布で形成された横長形状の積層された４つのシート体である表カバー層１１１、抗菌・抗ウイルスフィルタ１１２、捕集フィルタ１１３、口元カバー層１１４を備える。また、マスク本体１１は、これら４つのシート体（要素１１１〜１１４）の測端部を補強する補強材１１５、要素１１１〜１１５を溶着する溶着部１１６、マスク本体１１の上端部の形状を鼻の形状に合わせるノーズフィッター１１７、要素１１１〜１１４を溶着する溶着部１１８を備える。
【００１４】
本実施形態では、４つのシート体（要素１１１〜１１４）は、積層されて溶着部１１６、１１８で溶着されている。
本実施形態では、マスク本体１１は、抗菌・抗ウイルスフィルタ１１２と捕集フィルタ１１３とを含む４つのシート体が積層されて形成されるとした。ただし、マスク本体１１は、抗菌・抗ウイルスフィルタ１１２と捕集フィルタ１１３とを含む５つ以上のシート体が積層されて形成されてもよいし、抗菌・抗ウイルスフィルタ１１２と捕集フィルタ１１３とを含む３つ以下のシート体が積層されて形成されてもよい。
【００１５】
表カバー層１１１は、マスク本体１１の前面側の表面に配置される、不織布で形成されたシート体である。抗菌・抗ウイルスフィルタ１１２は、抗菌・抗ウイルス加工が施されたエアスルー型の不織布で形成されたシート体である。本実施形態では、抗菌・抗ウイルスフィルタ１１２は、抗菌・抗ウイルス用の薬品（例えば、カテキン又はその誘導体が入った薬品、銀イオンが入った薬品等）が噴霧された繊維から形成された不織布のシート体である。捕集フィルタ１１３は、ほこり、ウイルス、細菌等を捕集するメルトブロー型の不織布で形成されたシート体である。口元カバー層１１４は、マスク本体１１の背面側の表面に配置される、不織布で形成されたシート体である。
【００１６】
本実施形態では、抗菌・抗ウイルスフィルタ１１２は、マスク本体１１に含まれる他の３つのシート体（表カバー層１１１、捕集フィルタ１１３、口元カバー層１１４）それぞれよりも厚く形成されている。これにより、抗菌・抗ウイルスフィルタ１１２は、マスク本体１１において、より広い領域を占有し、抗菌・抗ウイルス用の領域をより広く形成できる。本実施形態では、抗菌・抗ウイルスフィルタ１１２の厚さは、５００μｍに形成されている。ただし、抗菌・抗ウイルスフィルタ１１２は、５００μｍよりも大きな厚さ（例えば、１０００μｍ、２０００μｍ等）で形成されていてもよいし、５００μｍ未満の厚さ（例えば、３００μｍ等）で形成されていてもよい。
尚、各シート体の厚さは、ＪＩＳ規格に基づき（ＪＩＳ  Ｌ  １９１３：２０１０：一般不織布試験方法  ）測定を行った。
【００１７】
また、抗菌・抗ウイルスフィルタ１１２は、マスク本体１１に含まれる他の３つのシート体（表カバー層１１１、捕集フィルタ１１３、口元カバー層１１４）それぞれよりも厚く形成されているとした。抗菌・抗ウイルスフィルタ１１２の厚さは、例えば、好ましくは捕集フィルタ１１３の厚さの２．５〜２０倍、さらに好ましくは捕集フィルタ１１３の厚さの３〜１５倍、特に好ましくは捕集フィルタ１１３の厚さの３．５〜１０倍に形成されてもよい。また、抗菌・抗ウイルスフィルタ１１２の厚さは、他の厚さに形成されてもよく、例えば、捕集フィルタ１１３の２倍以上に形成されてもよい。
【００１８】
また、抗菌・抗ウイルスフィルタ１１２は、捕集フィルタ１１３よりもメッシュ構造が粗いため、捕集フィルタ１１３に比べて菌やウイルスを通過させやすくなっている。また、抗菌・抗ウイルスフィルタ１１２は、捕集フィルタ１１３よりも表面の面粗度が粗い。
本実施形態では、抗菌・抗ウイルスフィルタ１１２の目付は、２０ｇ／ｍ２、厚みは５００μｍである。また、捕集フィルタ１１３の目付は、２０ｇ／ｍ２、厚みは１００μｍである。
シート体の密度を、目付（ｇ／ｍ２）／厚み（ｍｍ）として定義すると、抗菌・抗ウイルスフィルタ１１２の密度は４０となり、捕集フィルタ１１３の密度は２００となる。
捕集フィルタ１１３の密度は、好ましくは抗菌・抗ウイルスフィルタ１１２の密度の２．５〜２０倍、さらに好ましくは抗菌・抗ウイルスフィルタ１１２の密度の３〜１５倍、特に好ましくは抗菌・抗ウイルスフィルタ１１２の密度の３．５〜１０倍に形成されてもよい。また、捕集フィルタ１１３の密度は、他の密度に形成されてもよく、例えば、抗菌・抗ウイルスフィルタ１１２の密度の２倍以上に形成されてもよい。
【００１９】
また、捕集フィルタ１１３は、密度（ポーラス構造における隙間の割合）、及び、厚さについて、細菌・ウイルス等の飛沫を定められた水準以上の精度で捕集可能なように、形成されている。
本実施形態では、捕集フィルタ１１３は、抗菌・抗ウイルスフィルタ１１２よりも薄く形成されている。本実施形態では、捕集フィルタ１１３の厚さは、１００μｍであり、抗菌・抗ウイルスフィルタ１１２の五分の一の厚さである。ただし、本実施形態では、捕集フィルタ１１３は、１００μｍより大きな厚さ（例えば、１５０μｍ、２００μｍ等）で形成されてもよいし、１００μｍ未満の厚さ（例えば、５０μｍ、８０μｍ等）で形成されてもよい。
また、本実施形態では、捕集フィルタ１１３は、抗菌・抗ウイルスフィルタ１１２よりも高密度（より隙間のないポーラス構造）に形成されている。
【００２０】
補強材１１５は、４つのシート体の側端部を覆う不織布製のシート体である。４つのシート体、及び、補強材１１５は、マスク本体１１の両側端部において、溶着部１１６により一体となるよう溶着されている。
ノーズフィッター１１７は、マスク１の着用者の鼻に沿うように変形可能であり、且つ、変形後の形状を維持可能である横向き長尺状の線材であり、マスク本体１１に埋め込まれている。ノーズフィッター１１７は、例えば、軟鋼、アルミニウム、樹脂等の材料から形成される。
４つのシート体は、マスク本体１１の上下端部において、溶着部１１８により一体となるよう溶着されている。
【００２１】
続いて、マスク１の使用の際の状況を説明する。
着用者が息を吸う際に、吸われるマスク１の外部の空気（以下では、吸気とする）は、マスク本体１１の４つのシート体を、表カバー層１１１、抗菌・抗ウイルスフィルタ１１２、捕集フィルタ１１３、口元カバー層１１４の順に通過して着用者の口又は鼻に到達する。また、着用者が息を吐く際には、着用者が吐いた空気（以下では、呼気とする）は、マスク本体１１の４つのシート体を、口元カバー層１１４、捕集フィルタ１１３、抗菌・抗ウイルスフィルタ１１２、表カバー層１１１の順に通過してマスク１の外部に到達する。
【００２２】
図４を用いて、吸気と呼気とが抗菌・抗ウイルスフィルタ１１２、捕集フィルタ１１３を通過する際の様子を説明する。
まず、着用者が息を吸う場合に以下のようになる。吸気は、マスク本体１１の前面から背面に向かって（図４のＣ方向に向かって）、抗菌・抗ウイルスフィルタ１１２を通過する。この際に、抗菌・抗ウイルスフィルタ１１２は、吸気に含まれる菌やウイルスの少なくとも一部と接触して、接触した菌やウイルスを不活性化する。そして、吸気が捕集フィルタ１１３を通過する際に、捕集フィルタ１１３は、吸気に含まれる残りの菌やウイルスを捕集する。この場合、捕集フィルタ１１３は、吸気に含まれる残りの菌やウイルスを、主に捕集フィルタ１１３におけるマスク本体１１の前面側の領域で捕集する。
【００２３】
その後、着用者が息を吐く場合に以下のようになる。呼気は、マスク本体１１の背面から前面に向かって（図４のＤ方向に向かって）、捕集フィルタ１１３を通過する。この際に、捕集フィルタ１１３におけるマスク本体１１の前面側の領域に捕集されている菌やウイルスの少なくとも一部が、呼気によりマスク本体１１の前面側（Ｄ方向）に吹き飛ばされる。捕集フィルタ１１３の前面側には、抗菌・抗ウイルスフィルタ１１２が隣接している。そのため、捕集フィルタ１１３に捕集された菌やウイルスは、呼気により抗菌・抗ウイルスフィルタ１１２内に吹き飛ばされる。これにより、抗菌・抗ウイルスフィルタ１１２は、吹き飛ばされた菌やウイルスの少なくとも一部と接触して、接触した菌やウイルスを不活性化する。また、抗菌・抗ウイルスフィルタ１１２は、マスク本体１１において、他のシート体よりも厚く形成されており、マスク本体１１内において最も広い領域を占有する。そのため、抗菌・抗ウイルスフィルタ１１２は、より効率的に菌やウイルスを不活性化できる。
このように、マスク１は、着用者が息を吸う際に、抗菌・抗ウイルスフィルタ１１２を介して吸気内の菌やウイルスを不活性化させる。そして、マスク１は、更に、着用者が息を吐く際には、着用者が息を吸う際に不活性化できずに捕集フィルタ１１３に捕集された菌やウイルスを抗菌・抗ウイルスフィルタ１１２を介して不活性化できる。
【００２４】
以上、本実施形態では、マスク１は、隣接して積層された抗菌・抗ウイルスフィルタ１１２と捕集フィルタ１１３とを含むこととした。これにより、マスク１は、着用者が息を吸う際に、一旦、外部からの吸気内の菌やウイルスを不活性化させ、更に、着用者が息を吐く際には、着用者が息を吸う際に不活性化できなかった菌やウイルスを不活性化できる。このように、抗菌・抗ウイルスフィルタ１１２と捕集フィルタ１１３とは、個別独立して抗菌・抗ウイルス機能と捕集機能とを実現するとともに、相互に連携した相互機能による抗菌・抗ウイルス機能を実現する。結果として、マスク１は、外部からの菌やウイルスをより不活性化することができ、抗菌・抗ウイルス作用を向上できる。
【００２５】
［実施形態１の変形例］
本実施形態では、マスク本体１１において、抗菌・抗ウイルスフィルタ１１２は、捕集フィルタ１１３よりも前面側に配置されているとしたが、抗菌・抗ウイルスフィルタ１１２は、捕集フィルタ１１３よりも背面側に配置されているとしてもよい。
この場合の吸気と呼気とが抗菌・抗ウイルスフィルタ１１２、捕集フィルタ１１３を通過する際の様子を説明する。
まず、着用者が息を吐く場合に以下のようになる。呼気は、マスク本体１１の背面から前面に向かって、抗菌・抗ウイルスフィルタ１１２を通過する。この際に、抗菌・抗ウイルスフィルタ１１２は、呼気に含まれる菌やウイルスの少なくとも一部と接触して、接触した菌やウイルスを不活性化する。そして、呼気が捕集フィルタ１１３を通過する際に、捕集フィルタ１１３は、呼気に含まれる残りの菌やウイルスを捕集する。この場合、捕集フィルタ１１３は、呼気に含まれる残りの菌やウイルスを、主に捕集フィルタ１１３におけるマスク本体１１の背面側の領域で捕集する。
【００２６】
その後、着用者が息を吸う場合に以下のようになる。吸気は、マスク本体１１の前面から背面に向かって、捕集フィルタ１１３を通過する。この際に、捕集フィルタ１１３におけるマスク本体１１の背面側の領域に捕集されている菌やウイルスの少なくとも一部が、吸気によりマスク本体１１の背面側に吹き飛ばされる。捕集フィルタ１１３の背面側には、抗菌・抗ウイルスフィルタ１１２が隣接している。そのため、捕集フィルタ１１３に捕集された菌やウイルスは、吸気により抗菌・抗ウイルスフィルタ１１２内に吹き飛ばされる。これにより、抗菌・抗ウイルスフィルタ１１２は、吹き飛ばされた菌やウイルスの少なくとも一部と接触して、接触した菌やウイルスを不活性化する。このように、マスク１は、着用者が息を吐く際に、抗菌・抗ウイルスフィルタ１１２を介して吸気内の菌やウイルスを不活性化させる。そして、マスク１は、更に、着用者が息を吸う際には、着用者が息を吐く際に不活性化できずに捕集フィルタ１１３に捕集された菌やウイルスを抗菌・抗ウイルスフィルタ１１２を介して不活性化できる。
これにより、マスク１は、着用者の吐き出す菌やウイルスをより不活性化することで、菌やウイルスの拡散をより防止でき、抗菌・抗ウイルス作用を向上できる。
【００２７】
（本考案の第２の実施形態）
本実施形態のマスク２を、図１（符号をかっこ付きで示す）、図５を用いて説明する。マスク２において着用の際に着用者の顔面に接触する方向を背面側とし、この反対方向を前面側とする。また、マスク２において着用の際における上方向、下方向をそれぞれ、上方、下方とする。マスク２の背面図は、図１に示す背面図と同様である。図５にマスク２の断面の概要図を示す。
【００２８】
図５において、マスク２は、それぞれ不織布で形成された複数のシート体である表カバー層２１１、抗菌・抗ウイルスフィルタ２１２、捕集フィルタ２１３、抗菌・抗ウイルスフィルタ２１４、口元カバー層２１５が積層されて形成されたマスク本体２１を備えるマスクであって、抗菌・抗ウイルスフィルタ２１２、２１４と捕集フィルタ２１３とは、隣接して積層され、抗菌・抗ウイルスフィルタ２１２、２１４は、この複数のシート体の他のシート体よりも厚く、且つ、捕集フィルタ２１３よりもメッシュ構造が粗い。また、マスク２は、着用者の顔面にかかる紐部２２を備える。
【００２９】
本実施形態のマスク２は、プリーツ型のマスクであり、マスク本体２１は、着用者の顔面の所定の範囲（例えば、鼻と口とを含む範囲等）を覆う部材である。
マスク本体２１は、図５に示すように、ポーラス状に繊維が絡まり合った不織布で形成された横長形状の積層された５つのシート体である表カバー層２１１、抗菌・抗ウイルスフィルタ２１２、捕集フィルタ２１３、抗菌・抗ウイルスフィルタ２１４、口元カバー層２１５を備える。また、マスク本体２１は、これら５つのシート体の測端部を補強する補強材２１６、要素２１１〜２１６を溶着する溶着部２１７、マスク本体２１の上端部の形状を鼻の形状に合わせるノーズフィッター２１８、要素２１１〜２１５を溶着する溶着部２１９を備える。
本実施形態では、５つのシート体（要素２１１〜２１５）は、積層されて、両側端部、上下端部において、それぞれ溶着部２１７、２１９で溶着されている。
【００３０】
表カバー層２１１は、実施形態１の表カバー層１１１と同様である。また、抗菌・抗ウイルスフィルタ２１２、２１４それぞれは、実施形態１の抗菌・抗ウイルスフィルタ１１２と同様である。また、捕集フィルタ２１３は、実施形態１の捕集フィルタ１１３と同様である。また、口元カバー層２１５は、実施形態１の口元カバー層１１４と同様である。
補強材２１６、ノーズフィッター２１８は、それぞれ実施形態１で説明した補強材１１５、ノーズフィッター１１７と同様である。
本実施形態では、５つのシート体、及び、補強材２１６は、マスク本体２１の両側端部において、一体となるよう溶着されている。
【００３１】
本実施形態では、抗菌・抗ウイルスフィルタ２１２、２１４の目付は、２０ｇ／ｍ２、厚みは５００μｍである。また、捕集フィルタ２１３の目付は、２０ｇ／ｍ２、厚みは１００μｍである。抗菌・抗ウイルスフィルタ２１２、２１４のそれぞれの厚さは、捕集フィルタ３１３の５倍である。また、シート体の密度を、目付（ｇ／ｍ２）／厚み（ｍｍ）として定義すると、抗菌・抗ウイルスフィルタ２１２、２１４の密度は４０となり、捕集フィルタ２１３の密度は２００となる。
ただし、抗菌・抗ウイルスフィルタ２１２、２１４、捕集フィルタ２１３それぞれの厚さ、密度は、他の値となるように形成されてもよい。
【００３２】
抗菌・抗ウイルスフィルタ２１２、２１４の厚さは、例えば、捕集フィルタ２１３の厚さの２倍以上、２．５〜２０倍、３〜１５倍、３．５〜１０倍として形成されてもよい。
また、捕集フィルタ２１３の密度は、抗菌・抗ウイルスフィルタ２１２、２１４の密度の２倍以上、２．５〜２０倍、３〜１５倍、３．５〜１０倍等の密度に形成されてもよい。
【００３３】
本実施形態では、マスク本体２１は、抗菌・抗ウイルスフィルタ２１２、２１４と捕集フィルタ２１３とを含む５つのシート体が積層されて形成されるとした。ただし、マスク本体２１は、抗菌・抗ウイルスフィルタ２１２、２１４と捕集フィルタ２１３とを含む５つ以上のシート体が積層されて形成されてもよい。また、マスク本体２１は、抗菌・抗ウイルスフィルタ２１２、２１４と捕集フィルタ２１３とを含む４つ以下のシート体が積層されて形成されてもよい。
【００３４】
続いて、マスク２の使用の際の状況を説明する。
図６を用いて、吸気と呼気とが抗菌・抗ウイルスフィルタ２１２、捕集フィルタ１１３、抗菌・抗ウイルスフィルタ２１４を通過する際の様子を説明する。
着用者が息を吸う場合に以下のようになる。吸気は、マスク本体２１の前面から背面に向かって（図６のＥ方向に向かって）、抗菌・抗ウイルスフィルタ２１２を通過する。この際に、抗菌・抗ウイルスフィルタ２１２は、吸気に含まれる菌やウイルスの少なくとも一部と接触して、接触した菌やウイルスを不活性化する。
【００３５】
そして、吸気が捕集フィルタ２１３を通過する際に、捕集フィルタ２１３は、吸気に含まれる残りの菌やウイルスを捕集する。この場合、捕集フィルタ２１３は、吸気に含まれる残りの菌やウイルスを、主に捕集フィルタ２１３におけるマスク本体２１の前面側の領域で捕集する。また、吸気が捕集フィルタ２１３を通過する際に、捕集フィルタ２１３におけるマスク本体２１の背面側の領域に捕集されている菌やウイルスは、吸気により、抗菌・抗ウイルスフィルタ２１４の方に吹き飛ばされる。
吸気が抗菌・抗ウイルスフィルタ２１４を通過する際に、抗菌・抗ウイルスフィルタ２１４は、捕集フィルタ２１３の背面側の領域から吹き飛ばされた菌やウイルスと接触して、これらの菌やウイルスを不活性化する。また、抗菌・抗ウイルスフィルタ２１４は、吸気中の菌やウイルスであって、捕集フィルタ２１３を通過した微量の菌やウイルスと接触して、この菌やウイルスを不活性化する。
【００３６】
そして、着用者が息を吐く場合に以下のようになる。呼気は、マスク本体２１の背面から前面に向かって（図６のＦ方向に向かって）、抗菌・抗ウイルスフィルタ２１４を通過する。この際に、抗菌・抗ウイルスフィルタ２１４は、呼気に含まれる菌やウイルスの少なくとも一部と接触して、接触した菌やウイルスを不活性化する。
そして、呼気が捕集フィルタ２１３を通過する際に、捕集フィルタ２１３は、呼気に含まれる残りの菌やウイルスを捕集する。この場合、捕集フィルタ２１３は、呼気に含まれる残りの菌やウイルスを、主に捕集フィルタ２１３におけるマスク本体２１の背面側の領域で捕集する。また、呼気が捕集フィルタ２１３を通過する際に、捕集フィルタ２１３におけるマスク本体２１の前面側の領域に捕集されている菌やウイルスは、呼気により、抗菌・抗ウイルスフィルタ２１２の方に吹き飛ばされる。
呼気が抗菌・抗ウイルスフィルタ２１２を通過する際に、抗菌・抗ウイルスフィルタ２１２は、捕集フィルタ２１３の前面側の領域から吹き飛ばされた菌やウイルスと接触して、これらの菌やウイルスを不活性化する。また、抗菌・抗ウイルスフィルタ２１４は、呼気中の菌やウイルスであって、捕集フィルタ２１３を通過した微量の菌やウイルスと接触して、この菌やウイルスを不活性化する。
【００３７】
以上、本実施形態のマスク２は、２つの抗菌・抗ウイルスフィルタ２１２、２１４と、これらに挟まれた捕集フィルタ２１３と、を備えることとした。
これにより、このマスクは、抗菌・抗ウイルスフィルタを介して、マスク内部に侵入しようとする菌やウイルス、及び、外部に拡散しようとする菌やウイルスをより不活性化できる。また、捕集フィルタを通過した菌やウイルスは、捕集フィルタの通過後に、再度、抗菌・抗ウイルスフィルタを通過することとなる。そのため、このマスクは、抗菌・抗ウイルス作用をより向上できる。
【００３８】
（本考案の第３の実施形態）
本実施形態では、捕集フィルタが帯電され、且つ、複数のシート体が間に空気を挟むように積層されて形成されたマスク本体を備えるマスク３について、図１（符号をかっこ付きで示す）、図７を用いて説明する。マスク３において着用の際に着用者の顔面に接触する方向を背面側とし、この反対方向を前面側とする。また、マスク３において着用の際における上方向、下方向をそれぞれ、上方、下方とする。マスク３の背面図は、図１に示す背面図と同様である。
本実施形態のマスク３は、それぞれ不織布で形成された複数のシート体である表カバー層３１１、抗菌・抗ウイルスフィルタ３１２、捕集フィルタ３１３、口元カバー層３１４が積層されて形成されたマスク本体３１を備えるマスクであって、抗菌・抗ウイルスフィルタ３１２と捕集フィルタ３１３とは、隣接して積層され、抗菌・抗ウイルスフィルタ３１２は、この複数のシート体の他のシート体よりも厚く、且つ、捕集フィルタ３１３よりもメッシュ構造が粗く、捕集フィルタ３１３は、帯電されており、抗菌・抗ウイルスフィルタ３１２と捕集フィルタ３１３とは、間には空気を含ませるように積層されている。また、マスク３は、着用者の顔面にかかる紐部３２を備える。
【００３９】
マスク本体３１は、ポーラス状に繊維が絡まり合った不織布で形成された横長形状の積層された４つのシート体である表カバー層３１１、抗菌・抗ウイルスフィルタ３１２、捕集フィルタ３１３、口元カバー層３１４を備える。また、マスク本体３１は、これら４つのシート体（要素３１１〜３１４）の測端部を補強する補強材３１５、要素３１１〜３１５を溶着する溶着部３１６、マスク本体３１の上端部の形状を鼻の形状に合わせるノーズフィッター３１７、要素３１１〜３１４を溶着する溶着部３１８を備える。
【００４０】
要素３１１〜３１８は、それぞれ実施形態１のマスク１の要素１１１〜１１８と同様である。ただし、本実施形態の捕集フィルタ３１３は、帯電された繊維で形成されている。また、４つのシート体（要素３１１〜３１４）における溶着部３１６、３１８等で溶着されていない部分については、接着されておらず、各シート体の間には、微量の空気の層が形成されている。抗菌・抗ウイルスフィルタ３１２と捕集フィルタ３１３との間の空気の層を、空気層３１９とする。抗菌・抗ウイルスフィルタ３１２と捕集フィルタ３１３との間には、空気が介在するが、抗菌・抗ウイルスフィルタ３１２と捕集フィルタ３１３との間の一部においては、抗菌・抗ウイルスフィルタ３１２と捕集フィルタ３１３とが接触していることとしてもよい。
【００４１】
本実施形態では、抗菌・抗ウイルスフィルタ３１２の目付は、２０ｇ／ｍ２、厚みは３００μｍである。また、捕集フィルタ３１３の目付は、２０ｇ／ｍ２、厚みは１００μｍである。抗菌・抗ウイルスフィルタ３１２の厚さは、捕集フィルタ３１３の３倍である。また、シート体の密度を、目付（ｇ／ｍ２）／厚み（ｍｍ）として定義すると、抗菌・抗ウイルスフィルタ３１２の密度は約６７となり、捕集フィルタ３１３の密度は２００となる。
ただし、抗菌・抗ウイルスフィルタ３１２、捕集フィルタ３１３それぞれの厚さ、密度は、他の値となるように形成されてもよい。
【００４２】
抗菌・抗ウイルスフィルタ３１２の厚さは、例えば、捕集フィルタ３１３の厚さの２倍以上、２．５〜２０倍、３〜１５倍、３．５〜１０倍等に形成されてもよい。
また、捕集フィルタ３１３の密度は、抗菌・抗ウイルスフィルタ３１２の密度の２倍以上、２．５〜２０倍、３〜１５倍、３．５〜１０倍等として形成されてもよい。
【００４３】
図７を用いて、吸気と呼気とが抗菌・抗ウイルスフィルタ３１２、捕集フィルタ３１３を通過する際の様子を説明する。図７における丸印は、菌やウイルスを示す。
まず、着用者が息を吸う場合に以下のようになる。吸気は、マスク本体３１の前面から背面に向かって（図７のＧ方向に向かって）、抗菌・抗ウイルスフィルタ３１２を通過する。この際に、抗菌・抗ウイルスフィルタ１１２は、吸気に含まれる菌やウイルスの少なくとも一部と接触して、接触した菌やウイルスを不活性化する。
ここで、仮に抗菌・抗ウイルスフィルタ３１２と捕集フィルタ３１３とが密着しているとする。この場合、吸気内の菌やウイルスには、抗菌・抗ウイルスフィルタ３１２における捕集フィルタ３１３との境界付近において、帯電された捕集フィルタ３１３の表面近傍の部分により捕集フィルタ３１３の表面に向かう力が働く。ただし、吸気内の菌やウイルスは、抗菌・抗ウイルスフィルタ３１２により動きが制限されるため、適切に捕集フィルタ１１３の表面に捕集されない場合がある。
【００４４】
対して、本実施形態では、抗菌・抗ウイルスフィルタ３１２と捕集フィルタ３１３との間には、微量の空気の層である空気層３１９が形成されている。そのため、抗菌・抗ウイルスフィルタ３１２を通過した菌やウイルスは、一旦、空気層３１９に入り、抗菌・抗ウイルスフィルタ３１２により動きを制限されることなく、捕集フィルタ１１３の表面近傍に、より多くが吸着され捕集される（図７参照）。
そして、吸気が捕集フィルタ３１３を通過する際に、捕集フィルタ３１３は、吸気に含まれる残りの菌やウイルスを捕集する。本実施形態では、空気層３１９があるため、捕集フィルタ３１３は、吸気に含まれる残りの菌やウイルスを、主に捕集フィルタ３１３における捕集フィルタ３１３における抗菌・抗ウイルスフィルタ３１２側の表面近傍の部分で捕集する。
【００４５】
その後、着用者が息を吐く場合に以下のようになる。呼気は、マスク本体３１の背面から前面に向かって（図７のＤ方向に向かって）、捕集フィルタ３１３を通過する。この際に、主に捕集フィルタ３１３における抗菌・抗ウイルスフィルタ３１２側の表面近傍の部分で捕集されている菌やウイルスの少なくとも一部が、呼気によりマスク本体１１の前面側（Ｈ方向）に吹き飛ばされる。
捕集フィルタ３１３に捕集された菌やウイルスは、抗菌・抗ウイルスフィルタ３１２側の表面近傍で捕集されているほど、捕集フィルタの繊維による阻害が少ないため、着用者の呼気の際に吹き飛ばされやすい。その結果として、呼気の際により多くの菌やウイルスが、抗菌・抗ウイルスフィルタ１１２側に吹き飛ばされ、抗菌・抗ウイルスフィルタ３１２により接触し、不活性化されることとなる。このようにして、マスク３は、抗菌・抗ウイルス作用をより向上できる。
また、抗菌・抗ウイルスフィルタ１１２は、マスク本体１１において、他のシート体よりも厚く形成されており、マスク本体１１内において最も広い領域を占有する。そのため、抗菌・抗ウイルスフィルタ１１２は、より効率的に菌やウイルスを不活性化できる。
【００４６】
以上、本実施形態のマスク３は、帯電された捕集フィルタ３１３を備え、抗菌・抗ウイルスフィルタ３１２と捕集フィルタ３１３との間に空気を介在させることで、抗菌・抗ウイルス作用をより向上できる。
【００４７】
［実施形態３の変形例］
本実施形態では、マスク３は、捕集フィルタ３１３が帯電している点と、マスク本体のシート体の間に空気が介在している点と、を除いてマスク１と同様の構成であるとした。ただし、マスク３は、他の構成であってもよく、例えば、捕集フィルタ３１３が帯電している点と、マスク本体のシート体の間に空気が介在している点と、を除いて実施形態１の変形例で説明したマスクと同様の構成であるとしてもよい。
この場合でも、抗菌・抗ウイルスフィルタ１１２を通過した呼気に含まれる菌やウイルスは、一旦、空気の層に入り、抗菌・抗ウイルスフィルタ１１２により動きを制限されることなく、帯電された捕集フィルタ１１３の表面近傍に、より多くが捕集される。
そして、吸気の際により多くの菌やウイルスが、抗菌・抗ウイルスフィルタ１１２側に吹き飛ばされ、抗菌・抗ウイルスフィルタ１１２により接触し、不活性化されることとなる。このようにして、マスク３は、抗菌・抗ウイルス作用をより向上できる。
【００４８】
また、マスク３は、捕集フィルタ３１３が帯電している点と、マスク本体のシート体の間に空気が介在している点と、を除いて実施形態２のマスク２と同様の構成であるとしてもよい。
この場合でも、抗菌・抗ウイルスフィルタを通過した空気に含まれる菌やウイルスは、一旦、空気の層に入り、抗菌・抗ウイルスフィルタにより動きを制限されることなく、帯電された捕集フィルタの表面近傍に、より多くが捕集される。
そして、その後に、より多くの菌やウイルスが、抗菌・抗ウイルスフィルタ側に吹き飛ばされ、抗菌・抗ウイルスフィルタにより接触し、不活性化されることとなる。このようにして、マスク３は、抗菌・抗ウイルス作用をより向上できる。
【００４９】
（本考案のその他の実施形態）
実施形態２では、マスク２におけるシート体の積層構造は、２つの抗菌・抗ウイルスフィルタと、これらで挟まれた捕集フィルタと、を備える構造であることとした。ただし、マスクにおけるシート体の積層構造は、他の構造であってもよい。例えば、マスクは、２つの捕集フィルタと、これらで挟まれた抗菌・抗ウイルスフィルタと、を備えることとしてもよい。
また、実施形態１〜３では、マスク１〜３は、プリーツ型のマスクであるとしたが、平型マスク、立体型マスク等の他の種類のマスクであってもよい。
以上、本発明の実施形態の一例について詳述したが、本発明は係る特定の実施形態に限定されるものではない。例えば、上述した実施形態を任意に組み合わせる等してもよい。
【符号の説明】
【００５０】
１  マスク
１１  マスク本体
１２  紐部
１１１  表カバー層
１１２  抗菌・抗ウイルスフィルタ
１１３  捕集フィルタ
１１４  口元カバー層
１１５  補強材
１１６  溶着部
１１７  ノーズフィッター
１１８  溶着部
２  マスク
２１  マスク本体
２２  紐部
２１１  表カバー層
２１２  抗菌・抗ウイルスフィルタ
２１３  捕集フィルタ
２１４  抗菌・抗ウイルスフィルタ
２１５  口元カバー層
２１６  補強材
２１７  溶着部
２１８  ノーズフィッター
２１９  溶着部
３  マスク
３１  マスク本体
３２  紐部
３１１  表カバー層
３１２  抗菌・抗ウイルスフィルタ
３１３  捕集フィルタ
３１４  口元カバー層
３１５  補強材
３１６  溶着部
３１７  ノーズフィッター
３１８  溶着部
３１９  空気層
【図１】
0003226529.tif 000003
【図２】
0003226529.tif 000004
【図３】
0003226529.tif 000005
【図４】
0003226529.tif 000006
【図５】
0003226529.tif 000007
【図６】
0003226529.tif 000008
【図７】
0003226529.tif 000009